(57)【要約】      （修正有）【課題】貯水される水を殺菌濾過して貯蔵することにより細菌などが繁殖することを抑制できる冷温水機用浄水フィルタについて提案する。【解決手段】冷温水機の本体上部に設置され、上側に水ボトル２００の入口が挿入される挿入空間１１１の下側に形成された収容空間１１２に着脱可能に配置されて、内部に多数のフィルタ層が配置された第１フィルタハウジング１２０と、前記ハウジングの本体下部に着脱可能に結合される第２フィルタハウジング１３０とを含んで構成される。【選択図】図２
2016084179.tif 000002
【特許請求の範囲】
【請求項１】
水ボトルを用いて冷温水を供給する冷温水機の本体に設けられる冷温水機用浄水フィルタであって、
前記浄水フィルタは、
前記冷温水機の本体上部に設けられ、上側に水ボトルの入口が挿入される挿入空間の下側に形成された収容空間に着脱可能に配置され、内部に多数のフィルタ層が配置された第１フィルタハウジングと、
前記ハウジングの本体下部に着脱可能に結合される第２フィルタハウジングとを備えることを特徴とする冷温水機用浄水フィルタ。
【請求項２】
前記第１フィルタハウジング内のフィルタ層は、第１フィルタ層、第２フィルタ層および第３フィルタ層が積層された構造をして、前記第１フィルタ層は粒状活性炭であり、前記第２フィルタ層はセラミックボールであり、第３フィルタ層は不織布内に存在するｂｉｏ−ｓｕｒｅであることを特徴とする請求項１に記載の冷温水機用浄水フィルタ。
【請求項３】
前記セラミックボールは、粉末化した火山岩またはミネラルカーボンボールのいずれかまたは全てをそれぞれ圧縮して形成したことを特徴とする請求項２に記載の冷温水機用浄水フィルタ。
【請求項４】
前記粒状活性炭とセラミックボールは、２〜５ｍｍの球形状であることを特徴とする請求項２または３に記載の冷温水機用浄水フィルタ。
【請求項５】
前記第２フィルタハウジング内には、ＵＦフィルタが備えられていることを特徴とする請求項１に記載の冷温水機用浄水フィルタ。
【請求項６】
前記第１フィルタハウジングは、第１、２フィルタ層が積層収納される収納空間を有する本体と、前記本体の上部を塞ぐ上部カバーと、前記本体の下部を塞ぐ下部カバーとを備えることを特徴とする請求項２に記載の冷温水機用浄水フィルタ。
【請求項７】
前記上部カバーは、本体から脱着可能に上面に取っ手が設けられ、収納空間と繋がるように貫通された多数個の開口孔が形成されていることを特徴とする請求項６に記載の冷温水機用浄水フィルタ。
【請求項８】
前記下部カバーは、周囲がリング状であり、十字型の接続台を基準に開口された開口孔が形成され、周面に沿って多数個の結束翼が展開された形で配置されていることを特徴とする請求項６に記載の冷温水機用浄水フィルタ。
【発明の詳細な説明】
【技術分野】
【０００１】
本発明は、冷温水機用浄水フィルタに関するものであり、より詳細には、冷温水機に貯水される水を殺菌して貯蔵することにより貯水されている水に細菌などが繁殖することを抑制できるとともに、種々のフィルタを用いてフィルタを通過した水がアルカリ性になるようにする冷温水機用浄水フィルタに関するものである。
【背景技術】
【０００２】
通常、冷温水機は常温の水を冷却または加熱して冷水または温水を供給する便利な生活機器である。使用者は冷温水機の冷水弁または温水弁を介して冷水または温水をカップなどの容器に選択的に受けて使用するが、通常、顆粒（例えば、インスタントコーヒーなど）や粉末（例えば、粉ミルクやココアなど）やティーバッグ（例えば、緑茶ティーバッグなど）などの材料に温水または冷水を混合して飲用する。
【０００３】
このため、冷温水機は、常温の水を温水にするための加熱装置と常温の水を冷水にするための冷却装置とを備え、加熱装置によって加熱された温水や冷却装置によって冷却された冷水を貯蔵および排出して飲用できるようにするための手段をも備える。
【０００４】
図１は、従来の冷温水機を示した図面であり、図示したように従来の冷温水機は、本体１０の上板に水ボトル挿入口１１が形成され、前記水ボトル挿入口１１に水ボトル２０の吐出口２１が挿入される。また、水ボトル挿入口１１の底面には、水ボトル２０から供給される水を下方に流す水供給管３０が設けられており、前記水供給管３０の下側には、貯水槽４０が設けられ、前記貯水槽４０は、水供給管３０から供給される水を冷却器（図示せず）で冷却して貯蔵する。
【０００５】
ここで、貯水槽４０の内部空間は、分離板４１によって水貯蔵空間４２と冷水貯蔵空間４３とで区画され、このように区画された水貯蔵空間４２と冷水貯蔵空間４３に常温の水と冷却された冷水がそれぞれ貯蔵される。また、前記貯水槽４０の下側に温水貯蔵タンク５０が設けられ、前記温水貯蔵タンク５０は、分離板４１と温水接続管６０に接続されて水貯蔵空間４２から常温の水の供給を受け、供給された水をヒータ（図示せず）で加熱して保存する構造を有している。
【０００６】
しかし、従来の一般的な冷温水機の場合、水ボトルの水を冷却または加熱して保存する機能だけを有しているので、長時間使用すると、水ボトルの水が汚染されたり、また、これを使用者が飲用して水による腹痛などを起こしたりする問題がある。
【発明の概要】
【発明が解決しようとする課題】
【０００７】
本発明は、上述した問題点を解決するために、冷温水機に貯水される水を殺菌して貯蔵することで、貯水されている水に細菌などが繁殖することを抑制できるとともに、種々のフィルタを用いてフィルタを通過した水がアルカリ性になるようにする冷温水機用浄水フィルタを提供することを目的とする。
【課題を解決するための手段】
【０００８】
上記目的を達成するために、本発明は次のように構成される。
【０００９】
本発明に係る水ボトルを用いて冷温水を供給する冷温水機の本体に設けられる冷温水機用浄水フィルタにおいて、前記浄水フィルタは、前記冷温水機の本体上部に設けられ、上側に水ボトルの入口が挿入される挿入空間の下側に形成された収容空間に着脱可能に配置され、内部に多数（複数）のフィルタ層が備えられた第１フィルタハウジングと、前記ハウジングの本体下部に着脱可能に結合される第２フィルタハウジングとを備える。
【００１０】
また、前記第１フィルタハウジング内のフィルタ層は、第１フィルタ層、第２フィルタ層、および第３フィルタ層が積層された構造をしており、前記第１フィルタ層は粒状活性炭であり、前記第２フィルタ層はセラミックボールであり、第３フィルタ層は不織布内に存在するｂｉｏ−ｓｕｒｅ（抗菌剤（例えば、BioSure社の製品であるBioSure））である。
【００１１】
また、前記セラミックボールは、粉末化した火山岩（岩滓）またはミネラルカーボンボールのいずれかまたは全てをそれぞれ圧縮して形成される。
【００１２】
また、前記粒状活性炭とセラミックボールは、２〜５ｍｍの球形状である。
【００１３】
また、前記第２フィルタハウジング内には、ＵＦフィルタが備えられる。
【００１４】
また、前記第１フィルタハウジングは、第１、２フィルタ層が積層収納される収納空間を有する本体と、前記本体の上部を塞ぐ上部カバーと、前記本体の下部を塞ぐ下部カバーとを備える。
【００１５】
また、前記上部カバーには、本体から脱着可能に上面に取っ手が設けられ、収納空間と繋がるように貫通された多数（複数）個の開口孔が形成される。
【００１６】
また、前記下部カバーは、周囲がリング状であり、十字型の接続台を基準に開口された開口孔が形成され、周面に沿って多数（複数）個の結合翼が展開された形で配置される。
【発明の効果】
【００１７】
本発明によれば、冷温水機に貯水される水を殺菌して貯蔵することにより、貯水されている水に細菌などが繁殖することを抑制できるとともに、種々のフィルタを用いてフィルタを通過した水がアルカリ性になるようにする効果がある。
【００１８】
また、本発明によれば、フィルタが冷温水機の内部の貯水槽側に設けられるので、一定の温度で常時殺菌状態を維持することができ、雑菌の繁殖を抑制することができるだけでなく、太陽光にさらされないので苔が発生するのを防止することができる効果がある。
【００１９】
また、本発明によれば、水ボトルに貯水された水が自然に移動してフィルタを通過した後、浄水される構造をしているので、冷温水機に電気の供給が中断された場合にも浄水が可能な効果が期待できる。
【図面の簡単な説明】
【００２０】
【図１】従来の一般的な冷温水機を示す概略図である。
【図２】本発明に係る浄水フィルタを示す断面図である。
【図３】図２に示した第１フィルタハウジングを示す断面図である。
【発明を実施するための形態】
【００２１】
上述した本発明の目的、特徴、および利点は、添付図面に関する以下の本発明の実施例の記載から明らかになるであろう。
【００２２】
以下の特定の構造的ないし機能的な説明は単に本発明の概念による実施例を説明するための目的で例示されたものであり、本発明の概念に従った実施例は、様々な形で実施されることがあり、本明細書に説明された実施例に限定されるものと解釈してはならない。
【００２３】
本発明の概念による実施例は、多様な変更を加えることができ、様々な形態を有することができるので、特定の実施例は図面に例示し、本明細書又は出願で詳細に説明する。しかし、これは本発明の概念による実施例を特定の開示形態に限定しようとするものではなく、本発明の思想および技術範囲に含まれるあらゆる変更、均等物ないし代替物を含むものとして理解すべきである。
【００２４】
第１および／又は第２等の用語は多様な構成要素を説明するのに使用されるが、上構成要素は上記用語に限定されない。上記用語は、一つの構成要素を他の構成要素から区別する目的でのみ使用され、例えば、本発明の概念による権利範囲から外れないまま、第１構成要素は第２構成要素と命名されることができ、同様に第２構成要素は第１構成要素とも命名されることができる。
【００２５】
ある構成要素が他の構成要素に「連結されて」いるか、「接続されて」いると言及されるときは、その他の構成要素に直接に連結されているか、又は接続されていることもあるが、その間に他の構成要素が存在することもあると理解されるべきである。一方、ある構成要素が他の構成要素に「直接連結されて」ているか、又は「直接接続されて」いると言及されるときは、その間に他の構成要素が存在しないものと理解されるべきである。構成要素間の関係を説明するための他の表現、すなわち、「〜の間に」と「すぐ〜の間に」、又は「〜に隣接する」と「〜に直接隣接する」等の表現も同様に解釈されるべきである。
【００２６】
本明細書で使用した用語は、単に特定の実施例を説明するために使用されたものであって、本発明を限定しようとする意図ではない。単数の表現は文脈上明らかに異なるものを意味しない限り、複数の表現を含む。本明細書において、「含む（備える）」又は「有する」等の用語は、説示された特徴、数字、段階、動作、構成要素、部分品、又はそれらを組み合わせたものが存在することを指定しようとするものであり、１つ若しくはそれ以上の他の特徴や数字、段階、動作、構成要素、部分品、又はそれらを組み合わせたものの存在、又は付加の可能性を予め排除するものではないと理解されるべきである。
【００２７】
他に定義されない限り、技術的又は科学的用語を含め、ここで使用される全ての用語は、本発明が属する技術分野における通常の知識を有する者によって一般的に理解されるものと同一の意味を有する。一般的に使用される、辞典に定義されているような用語は、関連技術が文脈上有する意味と一致する意味を有すると解釈されるべきであり、本明細書において明確に定義しない限り、理想的又は過度に形式的な意味として解釈されない。
【００２８】
図２および図３に示すように、本発明の冷温水機用浄水フィルタ１００は、ハウジング本体１１０と第１フィルタハウジング１２０と第２フィルタハウジング１３０とを備える。
【００２９】
前記ハウジング本体１１０は、上、下部が開放された円筒形をしており、上部の内部には、水ボトル２００の水排出口が挿入される挿入空間１１１が形成されており、前記挿入空間１１１の下部には、第１フィルタハウジングが着脱可能に収容される収容空間１１２が形成されており、床面には、第２フィルタハウジングがねじ締結されるようにねじ部１１４が形成された締結突起１１３が突出している。
【００３０】
前記第１フィルタハウジング１２０は、上、下に貫通して内部に収納空間１２１ａが形成され、上部の外側周面に沿って段差をつけたＯリング溝１２１ｂが形成された本体１２１と、前記本体１２１の上部を着脱可能に覆うように配置される上部カバー１２２と、前記本体１２１の下部を覆うように配置される下部カバー１２３とを備える。
【００３１】
また、前記上部カバー１２２は、収納空間と連通するように開放された多数の開口孔１２２ａが上面に形成され、上面には、前記上部カバーを本体から脱着できるように取っ手１２２ｂが配置されている。
【００３２】
ここで、図面では示していないが、前記上部カバーの周面には、本体上面の内周面と相接するようにねじが形成されて本体とねじ結合することができる。
【００３３】
前記下部カバー１２３には、リング状の内周面に十字型の接続台１２３ａによって形成された開口孔１２３ｂが備えられ、周面の外側面に沿って多数の結束翼１２３ｃが配置されて、前記本体１２１の下部内周面に押し入れると、折り畳んで密着固定することができる。  
【００３４】
また、前記本体１２１の収納空間１２１ａには、第１フィルタ層１２４、第２フィルタ層１２５、および第３フィルタ層１２６が積層配置され、上部から流入される水を順次にフィルタリングすることができる。
【００３５】
ここで、前記第１フィルタ層１２４は、粒状活性炭であり、前記第２フィルタ層１２５は、粉末化された火山岩（岩滓）を圧縮して形成されたセラミックボールで構成するか、またはミネラルカーボンボールで形成するか、またはこれらをすべて含んで配置することが可能であり、前記粒状活性炭およびセラミックボールは、２〜５ｍｍの大きさで形成され、前記第３フィルタ層１２６は、不織布１２６ａ内に充填された充填物１２６ｂを含み、前記充填物１２６ｂはｂｉｏ−ｓｕｒｅである。
【００３６】
一方、前記岩滓は、斜長石、輝石、磁鉄石、橄欖石、透輝石を含むものであり、耐火度１１２０〜１２１０℃、絶対乾燥比重１．３１〜１．９０を有する済州産岩滓を用いることが好ましい。これは、済州で生産される火山岩は、独自のアルカリ性を有するので通過する水がアルカリ性になるように誘導することができ、水を一定量収めながら一定に通過させる機能を持つからである。
【００３７】
前記２フィルタハウジング１３０は、ハウジング本体１１０の下部に形成された締結突起１１３側とねじ部１３１を用いて着脱可能に結合されており、内部にはＵＦフィルタが設けられている。
【００３８】
また、本発明の冷温水機用浄水フィルタは、冷温水機本体から着脱可能に結合することができる。これは、冷温水機の上部に形成された水ボトルの挿入孔（図示せず）側に、本発明のハウジング本体を挿入して利用する方法として使用することができる。
【００３９】
本発明の結合状態を見ると、前記本体１２１の下部に結合翼１２３ｃを用いて下部カバー１２３を挿入固定した後、収納空間１２１ａに第３フィルタ層１２６を配置して、前記第３フィルタ層１２６の上に第２フィルタ層１２５と第１フィルタ層１２４を順次に積層させる。このとき、前記第１フィルタ層１２４と第２フィルタ層１２５は、第３フィルタ層１２６によって下部に流出することを防止することができる。
【００４０】
第１、２、３フィルタ層１２４、１２５、１２６の積層が完了したら、本体の上部を上部カバー１２２で塞いで第１フィルタハウジングを形成する。前記第１フィルタハウジングは、冷温水機本体に設けられたハウジング本体に結合されて、外周面に沿って水が流れるのを防止するために、Ｏリング溝１２１ｂにＯリングを結合させて収容空間１１２内に位置するようにする。
【００４１】
上記のように設けられた第１フィルタハウジング１２０は、ハウジング本体１１０から容易に着脱できるので、設けられたフィルタの寿命に応じて作業管理が容易になる。
【００４２】
次に、ハウジング本体１１０の下側の締結突起１１３側にねじ部１１４を用いて、第２フィルタハウジング１３０をねじ結合することで、最終的に浄水フィルタが完成される。
【００４３】
上記のように、組み立てやすく、冷温水機に設けることが容易なため、向後の使用時にいつでも着脱することができて、メンテナンスにかかる時間やコストを大幅に削減でき、設けられた第１フィルタ層、第２フィルタ層、第３フィルタ層、およびＵＦフィルタを介して水ボトルに発生する様々な汚染を避けることができる。
【００４４】
以上、本発明の好適な実施例について説明したが、これは本発明の技術的内容の理解を助けるための一例であり、本発明の技術的範囲はこれに限定されない。
【００４５】
すなわち、本発明の趣旨および技術的思想を逸脱しない範囲内において、当該発明の属する技術の分野における通常の知識を有する者であれば、様々な変更や修正、組み合わせなどを行うことに想到できることは明らかである。従って、これらの変更や修正、組み合わせなども、当然に技術的思想の範囲に属するものである。
【図１】
2016084179.tif 000003
【図３】
2016084179.tif 000004
【図２】
2016084179.tif 000005